【手続補正書】
【提出日】平成19年1月5日(2007.1.5)
【手続補正１】
【補正対象書類名】明細書
【補正対象項目名】発明の名称
【補正方法】変更
【補正の内容】
【発明の名称】情報処理装置及び触覚情報呈示方法
【手続補正２】
【補正対象書類名】明細書
【補正対象項目名】特許請求の範囲
【補正方法】変更
【補正の内容】
【特許請求の範囲】
【請求項１】  画像を表示するディスプレイと、
前記ディスプレイに表示された画像の一部分を指示するポインティング手段と、
操作者に対して触覚情報を呈示する触覚呈示手段と、
前記触覚情報を呈示すべき画像部の色属性情報を予め記憶する記憶手段と、
前記ポインティング手段により指示された画像部の色属性情報と、前記記憶手段に記憶された色属性情報とが一致した場合に、操作者に対して触覚情報を呈示するように前記触覚呈示手段を制御する制御手段と、
を備えた情報処理装置。
【請求項２】  前記記憶手段は、前記触覚情報を呈示すべき画像部の複数の色属性情報と、該色属性情報の各々に対応した異なる触覚情報とを予め記憶することを特徴とする請求項１記載の情報処理装置。
【請求項３】  前記制御手段は、前記ポインティング手段により指示された画像部の色属性情報と、前記記憶手段に記憶された色属性情報とが一致しない場合に前記触覚呈示手段よる触覚呈示を行わないことを特徴とする請求項１又は２に記載の情報処理装置。
【請求項４】  前記色属性情報は、色相及び彩度の少なくとも１つ、または明度と、色相及び彩度の少なくとも１つとを組合せた属性値であることを特徴とする請求項１乃至請求項３の何れか１項に記載の情報処理装置。
【請求項５】  前記触覚呈示手段は、操作者が指を載置するための載置面を有する載置部材を備え、該載置部材が該載置面に対して水平方向に前記制御手段により往復動されることによって、操作者に対して触覚情報を呈示することを特徴とする請求項１乃至請求項４の何れか１項に記載の情報処理装置。
【請求項６】  前記ポインティング手段はカーソルを移動するマウス型の入力装置であり、該入力装置の筐体の一部に前記触覚呈示手段が配置されていることを特徴とする請求項１乃至請求項５の何れか１項に記載の情報処理装置。
【請求項７】  前記制御手段は、前記記憶手段に記憶された色属性情報に基づいて印加すべき変位量、振動周波数、或いは制御ゲインを演算して生成した駆動信号を出力することにより前記触覚呈示手段を制御することを特徴とする請求項１乃至請求項６の何れか１項に記載の情報処理装置。
【請求項８】  画像を表示するディスプレイ、前記ディスプレイに表示された画像の一部分を指示するポインティング手段、及び操作者に対して触覚情報を呈示する触覚呈示手段を備えた情報処理装置で行われる触覚情報呈示方法であって、
前記触覚情報を呈示すべき画像部の色属性情報を予め記憶手段に記憶しておき、前記ポインティング手段により指示された画像部の色属性情報と、前記記憶手段に記憶された色属性情報とが一致した場合に、操作者に対して触覚情報を呈示するように前記触覚呈示手段を制御する触覚情報呈示方法。
【請求項９】  前記記憶手段は、前記触覚情報を呈示すべき画像部の複数の色属性情報と、該色属性情報の各々に対応した異なる触覚情報とを予め記憶することを特徴とする請求項８記載の触覚情報呈示方法。
【請求項１０】  前記ポインティング手段により指示された画像部の色属性情報と、前記記憶手段に記憶された色属性情報とが一致しない場合に前記触覚呈示手段よる触覚呈示を行わないことを特徴とする請求項８又は９に記載の触覚情報呈示方法。
【請求項１１】  前記色属性情報は、色相及び彩度の少なくとも１つ、または明度と、色相及び彩度の少なくとも１つとを組合せた属性値であることを特徴とする請求項８乃至請求項１０の何れか１項に記載の触覚情報呈示方法。
【請求項１２】  前記触覚呈示手段は、操作者が指を載置するための載置面を有する載置部材を備え、該載置部材が該載置面に対して水平方向に前記制御手段により往復動されることによって、操作者に対して触覚情報を呈示することを特徴とする請求項８乃至請求項１１の何れか１項に記載の触覚情報呈示方法。
【請求項１３】  前記ポインティング手段はカーソルを移動するマウス型の入力装置であり、該入力装置の筐体の一部に前記触覚呈示手段が配置されていることを特徴とする請求項８乃至請求項１２の何れか１項に記載の触覚情報呈示方法。
【請求項１４】  前記記憶手段に記憶された色属性情報に基づいて印加すべき変位量、振動周波数、或いは制御ゲインを演算して生成した駆動信号を出力することにより前記触覚呈示手段を制御することを特徴とする請求項８乃至請求項１３の何れか１項に記載の触覚情報呈示方法。
【手続補正３】
【補正対象書類名】明細書
【補正対象項目名】０００１
【補正方法】変更
【補正の内容】
【０００１】
【発明の属する技術分野】
本発明は、情報処理装置及び触覚情報呈示方法に係り、特に、操作者に対して触覚情報による情報伝達が可能な情報処理装置及び触覚情報呈示方法に関する。
【手続補正４】
【補正対象書類名】明細書
【補正対象項目名】００２６
【補正方法】変更
【補正の内容】
【００２６】
請求項６に記載の発明によれば、ポインティング手段はカーソルを移動するマウス型の入力装置である。操作者は通常、カーソルを移動するに当たり、その筐体に手指を載置して操作を行う。従って、入力装置の筐体の手指を載置する部位に触覚呈示手段を配置することにより、入力装置を操作する操作者に対して、入力装置の操作性を損なわずに、触覚情報を呈示することができる。
請求項７に記載の発明は、請求項１乃至請求項６の何れか１項に記載の発明において、前記制御手段は、前記記憶手段に記憶された色属性情報に基づいて印加すべき変位量、振動周波数、或いは制御ゲインを演算して生成した駆動信号を出力することにより前記触覚呈示手段を制御することを特徴としている。
請求項８に記載の発明は、画像を表示するディスプレイ、前記ディスプレイに表示された画像の一部分を指示するポインティング手段、及び操作者に対して触覚情報を呈示する触覚呈示手段を備えた情報処理装置で行われる触覚情報呈示方法であって、前記触覚情報を呈示すべき画像部の色属性情報を予め記憶手段に記憶しておき、前記ポインティング手段により指示された画像部の色属性情報と、前記記憶手段に記憶された色属性情報とが一致した場合に、操作者に対して触覚情報を呈示するように前記触覚呈示手段を制御する。
請求項９に記載の発明は、請求項８記載の発明において、前記記憶手段は、前記触覚情報を呈示すべき画像部の複数の色属性情報と、該色属性情報の各々に対応した異なる触覚情報とを予め記憶することを特徴としている。
請求項１０に記載の発明は、請求項８又は９に記載の発明において、前記ポインティング手段により指示された画像部の色属性情報と、前記記憶手段に記憶された色属性情報とが一致しない場合に前記触覚呈示手段よる触覚呈示を行わないことを特徴としている。
請求項１１に記載の発明は、請求項８乃至請求項１０の何れか１項に記載の発明において、前記色属性情報は、色相及び彩度の少なくとも１つ、または明度と、色相及び彩度の少なくとも１つとを組合せた属性値であることを特徴としている。
請求項１２に記載の発明は、請求項８乃至請求項１１の何れか１項に記載の発明において、前記触覚呈示手段は、操作者が指を載置するための載置面を有する載置部材を備え、該載置部材が該載置面に対して水平方向に前記制御手段により往復動されることによって、操作者に対して触覚情報を呈示することを特徴としている。
請求項１３に記載の発明は、請求項８乃至請求項１２の何れか１項に記載の発明において、前記ポインティング手段はカーソルを移動するマウス型の入力装置であり、該入力装置の筐体の一部に前記触覚呈示手段が配置されていることを特徴としている。
請求項１４に記載の発明は、請求項８乃至請求項１３の何れか１項に記載の発明において、前記記憶手段に記憶された色属性情報に基づいて印加すべき変位量、振動周波数、或いは制御ゲインを演算して生成した駆動信号を出力することにより前記触覚呈示手段を制御することを特徴としている。
【手続補正５】
【補正対象書類名】明細書
【補正対象項目名】００６７
【補正方法】変更
【補正の内容】
【００６７】
【発明の効果】
以上説明したように、本発明によれば、ディスプレイに表示される画像において、ポインティング手段によって指示された部分の色属性情報を取得し、取得した色属性情報が、予め定めて記憶手段に記憶した、触覚情報を呈示すべき色属性情報と一致する場合に触覚情報を呈示するようにしたので、画像の色属性情報に基づいて触覚情報を呈示可能な情報処理装置及び触覚情報呈示方法を提供することができる、という優れた効果を有する。